(57)【要約】【課題】視聴者に違和感を与えることなく、画面の焼き付きを防止する映像表示装置及び映像表示方法を提供する。【解決手段】  与えられる映像信号に基づく映像の濃度変化を検出する検出部と、検出部が検出した映像の濃度変化が一定量以上である場合、映像の濃度変化のタイミングで映像信号に基づく映像の画面上の位置を変えるべく、映像信号を処理する処理部と、処理部により処理された映像信号に応じて画面上に映像を表示する表示部とをもつ映像表示装置。【選択図】図１
2007171700.tif 000002
【特許請求の範囲】
【請求項１】
与えられる映像信号に基づく映像の濃度変化を検出する検出部と、
前記検出部が検出した前記映像の濃度変化が一定量以上である場合、前記映像の濃度変化のタイミングで前記映像信号に基づく映像の画面上の位置を変えるべく、前記映像信号を処理する処理部と、
前記処理部により処理された前記映像信号に応じて、画面上に映像を表示する表示部とを具備することを特徴とする映像表示装置。
【請求項２】
所定時間を計時するタイマ部と、
前記タイマ部が所定時間を計時する毎に、前記処理部の処理動作を行なうべく制御する制御部と、を更に具備することを特徴とする請求項１記載の映像表示装置。
【請求項３】
前記処理部は、前記検出部が前記映像の濃度変化が前記一定量以下であると判断した時は、前記表示部に表示される映像の明るさを低下するべく前記映像信号を処理することを特徴とする請求項１記載の映像表示装置。
【請求項４】
前記与えられる映像信号に基づく映像を分割する複数のブロック毎に、前記ブロック中の濃度を検出し、これにより隣り合ったブロック間の濃度差を検出する濃度差検出部を更に有しており、
前記処理部は、前記濃度差検出部が前記ブロック間に一定量以上の濃度差を検出すると、前記検出部の前記映像の濃度変化が一定量以下である場合でも、前記映像信号に基づく映像の画面上の位置を変えることを特徴とする請求項１記載の映像表示装置。
【請求項５】
所定時間を計時するタイマ部と、
前記タイマ部が所定時間を計時する毎に、前記処理部の処理動作を行なうべく制御し、前記検出部が映像の濃度変化の増加を検出した場合、前記所定時間を長くするべく制御する制御部と、を更に具備することを特徴とする請求項１記載の映像表示装置。
【請求項６】
前記検出部が映像の濃度変化の増加を検出した場合、前記処理部が行なう映像位置の移動量を減少させるべく制御する制御部を更に具備することを特徴とする請求項１記載の映像表示装置。
【請求項７】
与えられる映像信号に基づく映像の濃度変化を検出し、
前記映像の濃度変化が一定量以上である場合、前記映像の濃度変化のタイミングで前記映像信号に基づく映像の画面上の位置を変えるべく前記映像信号を処理し、
前記処理された映像信号に応じて、画面上に映像を表示することを特徴とする映像表示方法。
【請求項８】
前記処理動作は、所定時間毎に行なうことを特徴とする請求項７記載の映像表示方法。
【請求項９】
前記映像の濃度変化が前記一定量以下である場合、前記表示される映像の明るさを低下するべく前記映像信号を処理することを特徴とする請求項７記載の映像表示方法。
【請求項１０】
前記与えられる映像信号に基づく映像を分割する複数のブロック毎に、前記ブロック中の濃度を検出し、これにより隣り合ったブロック間の濃度差を検出し、
前記ブロック間の濃度差が一定量以上である場合、前記映像の濃度変化が一定量以下であっても、前記映像信号に基づく映像の画面上の位置を変えることを特徴とする請求項７記載の映像表示方法。
【発明の詳細な説明】
【技術分野】
【０００１】
本発明は、映像を表示する映像表示装置に関し、特に、焼き付き防止のために映像の表示位置を変える映像表示装置及び映像表示方法に関する。
【背景技術】
【０００２】
最近、デジタル映像装置の開発及び普及に応じて、これらの表示装置であるフラットパネルディスプレイ等に対する技術的要求が高まってきている。このようなフラットパネルディスプレイにおいて、表示映像の輝度差が大きい範囲が長時間保持されると、パネル表面のカラーフィルタが劣化していまい、劣化した範囲の輝度が落ちてしまう現象がある。このような輝度低下を回避するべく、映像表示位置を一定時間おきに動かすことで、パネル表面の焼付きを軽減させる方法が知られている。
【０００３】
特許文献１においては、映像信号の動画成分から動きベクトルの総和を求め、この動きベクトルの総和に応じた方向に映像を移動することで、画面の焼き付きを防止する技術が開示されている。
【特許文献１】特開２００５−４９７８４公報。
【発明の開示】
【発明が解決しようとする課題】
【０００４】
しかしながら、特許文献１の従来技術においては、動画像の動きベクトルと、画像の動き方向とを完全に一致させることは必ずしも容易ではないため、画像の移動を違和感なく行なうことが必ずしも保証されてはいないという問題がある。
【０００５】
本発明は、視聴者に違和感を与えることなく、画面の焼き付きを防止する映像表示装置及び映像表示方法を提供することを目的とする。
【課題を解決するための手段】
【０００６】
本発明の一つの実施形態は、与えられる映像信号に基づく映像の濃度変化を検出する検出部と、前記検出部が検出した前記映像の濃度変化が一定量以上である場合、前記映像の濃度変化のタイミングで前記映像信号に基づく映像の画面上の位置を変えるべく、前記映像信号を処理する処理部と、前記処理部により処理された前記映像信号に応じて、画面上に映像を表示する表示部とを具備することを特徴とする映像表示装置である。
【発明の効果】
【０００７】
動画を検出してシーンチェンジのタイミングで映像を移動させることで、視聴者に違和感を与えることなく、画面の焼き付きを防止することができる。
【発明を実施するための最良の形態】
【０００８】
以下、この発明の実施の形態について図面を参照して詳細に説明する。
【０００９】
図１は、本発明の一実施形態に係る映像表示装置の構成の一例を示すブロック図、図２は、同じく映像表示装置の詳細な構成の一例を示すブロック図、図３乃至図４は、同じく映像表示装置の機能の一例を示すブロック図、図５は、同じく映像表示装置の濃度差検出の一例を示す説明図、図６は、同じく映像表示装置の濃度差検出の一例を示す説明図、図７は、同じく映像表示装置の表示位置の遷移の一例を示す説明図、図８乃至図１１は、同じく映像表示装置の処理動作の一例を示すフローチャートである。
【００１０】
＜本発明の一実施形態に係る映像表示装置＞
（構成と機能）
初めに、本発明に係る映像表示装置１は、図１において、複数の映像信号を受けて所望の映像信号を後段に供給する映像信号選択部１１と、映像信号を受けて映像信号の濃度値に基づいて動画／静止画を判断し、ブロック間の濃度差を検出する動画・濃度差検出部１２と、映像信号による映像の画面表示位置をシフトし、映像の明るさを制御する映像処理部１３と、フラットパネルディスプレイ等のディスプレイ部Ｄと、全体の動作を制御し後述する映像シフト処理を司りタイマ機能を内蔵する制御部１４とを有している。なお、この映像表示装置１は、基本的な構造を示しており、本発明の作用効果を実現するために必要な要素だけで構成されている。
【００１１】
このような構成をもつ映像表示装置１においては、制御部１４の制御下の元、映像信号選択部１１で選択された映像信号を動画・濃度差検出部１２に供給し、動画・濃度差検出部１２では、映像信号が示す映像が動画であるか静止画であるかを判断する。又、動画・濃度差検出部１２では、映像の濃度を図５に後述するような複数のブロック毎に検出し、ブロック間の濃度差（ディスプレイ上の輝度差）を検出する。更に、映像処理部１３では、後段のディスプレイＤに表示するべくスケーリング処理等を行ない、更に、映像信号の映像のディスプレイ上の位置をシフトし、表示される映像の明るさを制御する。
【００１２】
更に、制御部１４の映像シフト処理機能により、映像信号の動画を検出すると、シーンが変更するタイミングで画面位置のシフト処理を行なうことで、視聴者に違和感のない焼け付き防止を行なうことができる。なお、この映像シフト処理は、図面を用いて詳細に後述される。
【００１３】
（構成と機能）
更に、詳細な映像表示装置１が、図２において示されている。この詳細な映像表示装置１は、図２において、ＲＦ信号とＣＶＢＳ信号とＳ端子信号とＤ端子信号等が入力されるビデオスイッチ部１１と、ビデオスイッチ部１１からの各信号が供給され、ビデオデコーダ１６とＡ／Ｄコンバータ１７とＨＤＭＩレシーバ１８とこれらの信号を選択的に出力するスイッチ部１９とを有するアナログ映像キャプチャ部１５と、アナログ映像キャプチャ部１５からの信号をデジタル映像処理するデジタル映像処理部２１と、映像処理された映像信号を表示するＬＣＤ（Liquid Crystal Display）等のディスプレイパネルＤとを有する。
【００１４】
ここで、デジタル映像処理部２１は、映像信号を一時格納するキャプチャ部２２と、インターレス信号をプログレッシブ信号等に変換するためのＩＰ変換処理部２３と、ディスプレイの規格に合わせて映像信号をスケーリング処理するスケーリング処理部２４と、画面位置シフト部３０を含み、ディスプレイパネルの動作タイミングのクロック設定を行い同期処理を行なう出力表示部２５と、画面の平均輝度を検出するＡＰＬ検出、映像信号のヒストグラム検出、明るさ制御等の機能３１を含み、映像信号の最終的な画質を決定する画質処理部２６とを有している。更に、デジタル映像処理部２１は、ＢＳデジタル、地上波デジタル、ｉＬＩＮＫ（登録商標）等の入力を受けてＭＰＥＧ映像をデコードするＭＰＥＧ映像処理部２７と、映像信号の動作／静止画判定部２９と、本発明の特徴の一つである映像の表示座標をシフト制御するシフト制御部３２と、３０秒、６０秒等の所定時間を計時するタイマ部３３とを含んでおり、各要部に接続されて全体の制御を行なっている制御部２８とを有している。
【００１５】
このような構成により、映像表示装置１は、以下のようにディスプレイＤに映像を表示する。すなわち、ビデオスイッチ部１１は、ＲＦ信号、ＣＶＢＳ信号、Ｓ端子信号、Ｄ端子信号等から一つの信号を選択して、アナログ映像キャプチャ部１５に供給する。アナログ映像キャプチャ部１５では、供給された映像信号を、ビデオデコーダ１６、Ａ／Ｄコンバータ１７、ＨＤＭＩ入力が供給された場合はＨＤＭＩレシーバ１８によりデコードして、スイッチ部１９を介してデジタル映像処理部２１に供給する。
【００１６】
デジタル映像処理部２１では、制御部２８の制御下において、供給された例えばＩＴＵ−Ｒ．ＢＴ６０フォーマットの映像信号をキャプチャ部２２において一時保存する。一方、ＢＳデジタル、地上波デジタル、ｉＬＩＮＫ等の入力がなされた場合は、ＭＰＥＧ映像処理部２７でＭＰＥＧ映像をデコードして、ＩＰ変換処理部２３に供給される。
【００１７】
次に、ＩＰ変換部２３では、キャプチャ部２２から供給された映像信号、又は、ＭＰＥＧ映像処理部２７から供給された映像信号について、インターレス信号をプログレッシブ信号に変換するＩＰ変換を適宜行なった上で後段に出力する。又、ＢＳデジタル、地上波デジタル、ｉＬＩＮＫ入力等が供給された場合は、ＭＰＥＧ映像としてデコード処理して、ＩＰ変換処理部２３に供給される。
【００１８】
ＩＰ変換部２３から供給された映像信号を受けたスケーリング処理部２４では、制御部２８の制御下において、後段のディスプレイパネルＤの規格と映像信号のアスペクト比等に応じてスケーリング処理を行なう。その後、映像信号は出力表示部２５に供給され、出力表示部２５では、ディスプレイパネルの動作タイミングのクロック設定を行い、映像信号と同期処理がなされるが、後述する映像シフト処理による映像の画面表示位置のシフト処理も画面位置シフト部３０で行われる。
【００１９】
更に、出力表示部２５からの映像信号は、画質処理部２６の例えば処理部３１において、制御部２８の制御により、画面の平均輝度の制御や明るさ制御、色調整等が行われ、ディスプレイパネルＤに出力される。
【００２０】
又、画質処理部２６の例えば処理部３１において、ＡＰＬ検出、ヒストグラム検出が行なわれ、その結果が制御部２８に供給される。制御部２８では、これらの検出結果を例えば後述するシフト制御に用いるものである。
【００２１】
ディスプレイパネルＤでは、画質処理部２６から供給された映像信号に基づく映像を画面表示するが、特に、静止画を長時間表示することによる焼き付きが生じることがあるため、これへの対策として後述する映像シフト処理が必要となる。
【００２２】
＜映像シフト処理＞
次に、本発明の一実施形態である、ディスプレイの焼き付き防止のための処理である映像シフト処理を、図３及び図４の動作を示すブロック図、図８乃至図１１のフローチャートを用いて詳細に説明する。
【００２３】
本発明の一実施形態である映像シフト処理とは、図１において、映像信号をそのままディスプレイＤに出力するのではなく、映像信号が示す映像が動画像なのか静止画なのか（図６参照）に基づき、又、映像のブロック領域間の大きな濃度差の有無（図５，図６参照）等に基づき、ディスプレイＤの画面上の映像の表示座標を、所定時間（６０秒等）シフト（移動）していくものである。すなわち、図７に示すように、ディスプレイＤの画面上に表示する映像の表示座標を、中心Ｐ０（０，０）ではなく、例えば、Ｐ１（−２，−２）に映像の中心を置き、例えば、約６０秒毎に、Ｐ１からＰ２乃至Ｐ１０等へ順次移動していくものである。このとき、移動するタイミングは、所定時間の６０秒ではなく、動画像の変化量が最大となるシーンチェンジのタイミングを検出してこのタイミングで行なうことにより、視聴者の違和感を最小とするものである。
【００２４】
（ブロック図による説明）  
初めに、図３及び図４の映像シフト処理を示すブロック図により、映像シフト処理の一例を説明する。なお、本発明に係る映像表示装置１は、図１にその概要が説明され、図２に詳細な実施形態の一例が説明されているが、その本質は同一であり両者の関係を以下に述べる。
【００２５】
すなわち、図１の映像表示装置１における映像信号選択部１１は、図２の映像表示装置１におけるビデオスイッチ１１が対応し、図１の映像表示装置１における動画・濃度差検出部１２は、図２の映像表示装置１における制御部２８の動作／静止画判定部２９及び画質処理部２６の処理部３１のＡＰＬ検出機能、ヒストグラム検出機能が対応する。又、図１の映像表示装置１における映像処理部１３の画面位置シフト処理・明るさ制御は、図２の映像表示装置１における出力表示部２５の画面位置シフト部３０と画質処理部２６の処理部３１の明るさ制御機能が対応し、図１の映像表示装置１における制御部１４で行なわれる映像シフト処理の制御機能・タイマ機能は、図２の映像表示装置１におけるシフト制御部３２及びタイマ部３３に対応する。
【００２６】
従って、以下の説明において、映像シフト処理を、図１の映像表示装置１における動画・濃度差検出部１２、映像処理部１３、制御部１４の映像シフト処理の制御機能・タイマ機能により行なうものとして説明するが、それぞれ、図２の映像表示装置１において対応する各部が行なうものとして理解することが可能である。
【００２７】
・第１ブロック図（図３）
図３の映像シフト処理を示すブロック図において、図１の映像信号選択部１１により選択（５１）された入力信号（６４０×４８０ｐ、７２０×４８０ｉ、１９２０×１０８０ｉ、１２８０×７２０ｐのどれか）は、制御部１４の制御下の元、動画・濃度差検出部１２により、ＡＰＬデータ又は明るさヒストグラムを一定周期毎に監視され形成される。そして、保持時間としての所定時間（例えば６０秒等）が計時されると、ブロック５４の処理に移行する（５２，５３）。
【００２８】
次に、動画検出部１２において、検出したデータｎを前のデータｎ−１と比較する（５４）。すなわち、図６の表において、エリアＡ１の周期ｎ−１の映像信号の濃度値と、エリアＡ１の周期ｎの映像信号の濃度値との差分が、一定量（第１閾値）以上であるとき、このＡ１ブロックは、変化が大きく動画像であると判断する。又、更に、エリアＡ１の周期ｎ−１の映像信号の濃度値とエリアＡ１の周期ｎの映像信号の濃度値との差分が、一定量（第２閾値：第２閾値＞第１閾値）以上であるとき、動画像であってシーンチェンジがあったと判断する。
【００２９】
なお、ここで、静止画／動画を判断する第１閾値、動画像の中のシーンチェンジの存在を判断する第２閾値は、多くのサンプルをとって最適値にとることが好適である。又、更に、多くのサンプルから細かく閾値を設定し、映像状態を詳細に検出することにより、効果的な映像シフト処理が可能となる。又、静止画／動画を判断する第１閾値と動画像の中のシーンチェンジの存在を判断する第２閾値とを同一値で代用して処理することも、状況によっては好適である。
【００３０】
動画検出部１２において、濃度差が一定量（第１閾値）以下であるとして、静止画と判断すると、制御部１４の制御により、映像処理部１３の明るさ制御機能を用いて画面明るさを一定量だけ低下させることによりディスプレイＤを保護し（５５）、ブロック５２の監視へと移行する。又、動画検出部１２において、濃度差が一定量（第１閾値）以上であるとして動画像と判断すると、制御部１４の制御により、映像処理部１３の明るさ制御機能をリセットする（５６）。そして、映像シフト制御ルーチンに入り、動画検出部１２の働きによりシーンチェンジのタイミングを検出し（５７）、検出されたシーンチェンジのタイミングで図７に示すように、例えば、位置座標Ｐ３から位置座標Ｐ４へ映像シフトを１ステップを動作して（５８）、ブロック５２の監視へと再び移行する。このように、映像シフトのタイミングをシーンチェンジのタイミングで行なうことで、視聴者に対して違和感のない映像シフト処理が可能となるものである。
【００３１】
・第２ブロック図（図４）
次に、図４の映像シフト処理を示すブロック図を用いて、本発明の一実施形態である映像シフト処理を説明する。図４の映像シフト処理を示すブロック図において、図１の映像信号選択部１１により選択（５１）された入力信号（６４０×４８０ｐ、７２０×４８０ｉ、１９２０×１０８０ｉ、１２８０×７２０ｐのどれか）は、制御部１４の制御下の元、動画・濃度差検出部１２により、ＡＰＬデータ又は明るさヒストグラムが図５に示すようにブロック単位で一定周期毎に監視され形成される（６１）。ここで、ブロックとは、Ａ１、Ａ２、…、Ａ６、Ｂ１…、Ｃ５、Ｃ６等である。更に、各ブロック単位での濃度差、そして、濃度変化を検出し、又、詳細な画像情報を取得する（６２）。
【００３２】
そして、保持時間としての所定時間（例えば６０秒等）が計時されると、ブロック６４の処理に移行する（６３）。次に、動画検出部１２において、検出したデータｎを前のデータｎ−１と比較する（６４）。すなわち、図６の表において、エリアＡ１の周期ｎ−１の映像信号の濃度値と、エリアＡ１の周期ｎの映像信号の濃度値との差分が、一定量（第１閾値）以上であるとき、このＡ１ブロックは、変化が大きく動画像であると判断する。又、更に、エリアＡ１の周期ｎ−１の映像信号の濃度値とエリアＡ１の周期ｎの映像信号の濃度値との差分が、一定量（第２閾値：第２閾値＞第１閾値）以上であるとき、動画像であってシーンチェンジがあったと判断する。
【００３３】
なお、ここで、静止画／動画を判断する第１閾値、動画像の中のシーンチェンジの存在を判断する第２閾値は、多くのサンプルをとって最適値にとることが好適である。又、更に、多くのサンプルから細かく閾値を設定し、映像状態を詳細に検出することにより、効果的な映像シフト処理が可能となる。
【００３４】
動画検出部１２において、濃度差が一定量（第１閾値）以下であるとして、静止画と判断すると、ブロック間の濃度差が所定量以上であるかどうか判断され（７１）、所定量以上ではないとされれば、制御部１４の制御により、映像処理部１３の明るさ制御機能を用いて画面明るさを一定量だけ低下させることによりディスプレイＤを保護し（６５）、ブロック５２の監視へと移行する。又、動画検出部１２において、濃度差が一定量（第１閾値）以上であるとして動画像と判断すると、制御部１４の制御により、映像処理部１３の明るさ制御機能をリセットする（６６）。そして、映像シフト制御ルーチンに入り、動画検出部１２の働きによりシーンチェンジのタイミングを検出し（６７）、検出されたシーンチェンジのタイミングで図７に示すように、例えば、位置座標Ｐ３から位置座標Ｐ４へ映像シフトを１ステップを動作して（６８）、ブロック５２の監視へと再び移行する。
【００３５】
又、ブロック７１において、図６に示すように、ブロック間（Ａ１とＡ２）の濃度差が所定量以上であると判断されれば、例えば、位置座標Ｐ３から位置座標Ｐ４へ映像シフトを１ステップを動作した上で（７２）、ブロック５２の監視へと再び移行する。これにより、ディスプレイＤ上で焼き付きの原因となる大きな輝度差が生じる場合も回避することができる。
【００３６】
このように、図４の第２ブロック図においても、図３の第１ブロック図と同様に、映像シフトのタイミングをシーンチェンジのタイミングで行なうことで、視聴者に対して違和感のない映像シフト処理が可能となるものである。
【００３７】
（フローチャートによる映像シフト処理の説明）
次に、図８乃至図１１のフローチャートを用いて、本発明の一実施形態である映像シフト処理の説明を行なう。すなわち、映像シフト処理は、図３及び図４のように回路システム構成により行なうこともできるが、ＣＰＵとＣＰＵで処理されるプログラムによるマイクロコンピュータシステムとしての制御部１４，２８により処理することも一般的であり、この場合はフローチャートを用いて説明することが好適である。
【００３８】
（動画／静止画検出に基づく映像シフト処理）
初めに、図８のフローチャートにおいて、図１の画像表示装置１に電源が投入されると（ステップＳ１１）、例えば、映像信号選択部１１により選択された入力信号（６４０×４８０ｐ、７２０×４８０ｉ、１９２０×１０８０ｉ、１２８０×７２０ｐ等）は、キャプチャ部等により取り込まれる（ステップＳ１２）。そして、制御部１４の制御下の元、動画・濃度差検出部１２により、ＡＰＬデータ又は明るさヒストグラムが図５に示すようにブロック単位で一定周期毎に監視され形成される。ここで、ブロックとは、Ａ１、Ａ２、…、Ａ６、Ｂ１…、Ｃ５、Ｃ６等である。更に、図６に示すように、動画・濃度差検出部１２により、周期毎の濃度変化が検出される（ステップＳ１３）。次に、制御部１４の制御下の元、動画・濃度差検出部１２により、各ブロック単位での濃度差が検出される（ステップＳ１４）。
【００３９】
そして、保持時間としての所定時間（例えば６０秒等）が制御部１４のタイマ機能等で計時されると（ステップＳ１４）、制御部１４の制御下の元、動画検出部１２において、検出したデータｎを前のデータｎ−１と比較により、映像信号が示す映像が静止画か動画かが判断される（ステップＳ１５）。すなわち、図６の表において、エリアＡ１の周期ｎ−１の映像信号の濃度値と、エリアＡ１の周期ｎの映像信号の濃度値との差分が、一定量（第１閾値）以上であるとき、このＡ１ブロックは、変化が大きく動画像であると判断する。又、更に、エリアＡ１の周期ｎ−１の映像信号の濃度値とエリアＡ１の周期ｎの映像信号の濃度値との差分が、一定量（第２閾値：第２閾値＞第１閾値）以上であるとき、動画像であってシーンチェンジがあったと判断する（ステップＳ１５）。
【００４０】
動画検出部１２において、濃度差が一定量（第１閾値）以上であるとして動画像と判断すると、制御部１４の制御により、映像処理部１３の明るさ制御機能をリセットし、そして、映像シフト制御ルーチンに入り、動画検出部１２の働きによりシーンチェンジのタイミングを検出し、検出されたシーンチェンジのタイミングで図７に示すように、例えば、位置座標Ｐ３から位置座標Ｐ４へ映像シフトを１ステップを動作して、映像の位置を所定量だけ移動する（ステップＳ１６）。
【００４１】
次に、ステップＳ１５において、動画検出部１２が濃度差が一定量（第１閾値）以下であるとして、静止画と判断すると、制御部１４の制御により、映像処理部１３の明るさ制御機能を用いて画面明るさを一定量だけ低下させることによりディスプレイＤを保護する（ステップＳ１７）。
【００４２】
このように、図９のフローチャートに示す映像シフト処理において、映像シフトのタイミングをシーンチェンジのタイミングで行なうことで、視聴者に対して違和感のない映像シフト処理が可能となるものである。
【００４３】
（動画／静止画検出及びブロック間濃度差に基づく映像シフト処理）
次に、図９のフローチャートが示す、動画／静止画検出及びブロック間濃度差に基づく映像シフト処理を説明する。図９のフローチャートにおいて、図１の画像表示装置１に電源が投入されると（ステップＳ１１）、例えば、映像信号選択部１１により選択された入力信号（６４０×４８０ｐ、７２０×４８０ｉ、１９２０×１０８０ｉ、１２８０×７２０ｐ等）は、キャプチャ部等により取り込まれる（ステップＳ１２）。そして、制御部１４の制御下の元、動画・濃度差検出部１２により、ＡＰＬデータ又は明るさヒストグラムが図５に示すようにブロック単位で一定周期毎に監視され形成される。ここで、ブロックとは、Ａ１、Ａ２、…、Ａ６、Ｂ１…、Ｃ５、Ｃ６等である。更に、図６に示すように、動画・濃度差検出部１２により、周期毎の濃度変化が検出される（ステップＳ１３）。次に、制御部１４の制御下の元、動画・濃度差検出部１２により、各ブロック単位での濃度差が検出される（ステップＳ１４）。
【００４４】
そして、保持時間としての所定時間（例えば６０秒等）が制御部１４のタイマ機能等で計時されると（ステップＳ１４）、制御部１４の制御下の元、動画検出部１２において、検出したデータｎを前のデータｎ−１と比較により、映像信号が示す映像が静止画か動画かが判断される（ステップＳ１５）。すなわち、図６の表において、エリアＡ１の周期ｎ−１の映像信号の濃度値と、エリアＡ１の周期ｎの映像信号の濃度値との差分が、一定量（第１閾値）以上であるとき、このＡ１ブロックは、変化が大きく動画像であると判断する。又、更に、エリアＡ１の周期ｎ−１の映像信号の濃度値とエリアＡ１の周期ｎの映像信号の濃度値との差分が、一定量（第２閾値：第２閾値＞第１閾値）以上であるとき、動画像であってシーンチェンジがあったと判断する（ステップＳ１５）。
【００４５】
動画検出部１２において、濃度差が一定量（第１閾値）以上であるとして動画像と判断すると、制御部１４の制御により、映像処理部１３の明るさ制御機能をリセットし、そして、映像シフト制御ルーチンに入り、動画検出部１２の働きによりシーンチェンジのタイミングを検出し、検出されたシーンチェンジのタイミングで図７に示すように、例えば、位置座標Ｐ３から位置座標Ｐ４へ映像シフトを１ステップを動作して、映像の位置を所定量だけ移動する（ステップＳ２３）。
【００４６】
次に、ステップＳ１５において、動画検出部１２が濃度差が一定量（第１閾値）以下であるとして、静止画と判断すると、ブロック間の濃度差が所定量以上であるかどうか判断される（ステップＳ２２）。所定量以上ではないと判断されれば、制御部１４の制御により、映像処理部１３の明るさ制御機能を用いて画面明るさを一定量だけ低下させることによりディスプレイＤを保護する（ステップＳ２４）。
【００４７】
又、ステップＳ２２において、図６に示すように、ブロック間（Ａ１とＡ２）の濃度差が所定量以上であると判断されれば、例えば、位置座標Ｐ３から位置座標Ｐ４へ映像シフトを１ステップを動作して、映像の位置を所定量だけ移動する（ステップＳ２３）。なおここで、映像が静止画である場合、シーンチェンジのタイミングでシフトする必要はない。これにより、ディスプレイＤ上で焼き付きの原因となる大きな輝度差が生じる場合も回避することができる。
【００４８】
このように、図９のフローチャートに示す映像シフト処理においても、映像シフトのタイミングをシーンチェンジのタイミングで行なうことで、視聴者に対して違和感のない映像シフト処理が可能となるものである。又、画面上の輝度差を生じるブロック間の濃度差に対しても映像シフト処理を行なうことで、焼き付き防止が可能となる。
【００４９】
（濃度の変化量によりパラメータ変更される映像シフト処理）
次に、図１０及び図１１のフローチャートに示す、濃度の変化量によりパラメータ変更される映像シフト処理を説明する。図１０及び図１１のフローチャートは、ステップＳ３１の処理以外は、それぞれ、図８及び図９のフローチャートと同様であり、ここでは説明を省略する。
【００５０】
図１０及び図１１のフローチャートのステップＳ３１において、制御部１４の映像シフト処理により、動画・濃度差検出部１２が判断した映像信号の濃度の大きさに応じて、ここでは、ステップＳ１４の所定時間を変更することが好適である。すなわち、動画・濃度差検出部１２が検出した映像信号の濃度の変化量（変化量の平均値であることも好適）が、予め定められた一定量（例えば第３閾値）よりも大きい場合、映像が非常に動きが大きく、焼き付き防止をあまり気にしなくともよい状況にあると判断でき、監視時間である所定時間（６０秒等）を更に（例えば１２０秒等）に延長することが可能となる。又、単に第３閾値との比較ではなく、一定定数を用いて、変化量に比例して監視時間である所定時間を延長することも好適である。
【００５１】
同様に、変化量が一定量（例えば第３閾値）よりも大きい場合、又は増加傾向の場合は、図７に示す映像の移動量を減少させることが可能である。すなわち、映像の動きが非常に大きいため、映像の座標の移動量を“１”から“０．５”等に減少させることが可能である。又、単に第３閾値との比較ではなく、一定定数を用いて、変化量に比例して移動量を減少させることも好適である。
【００５２】
反対に、変化量（又は変化量の平均値）が一定量（例えば第３閾値）よりも小さい場合、又は減少傾向の場合は、画面焼き付きの危険が高くなってきていると判断でき、監視時間である所定時間（６０秒等）を更に（例えば３０秒等）に短縮することが好適となる。又、単に第３閾値との比較ではなく、一定定数を用いて、変化量に比例して監視時間である所定時間を減少することにより、監視の頻度を自動的に高めて焼き付きの危険を自動的に回避することが好適である。
【００５３】
同様に、変化量（又は変化量の平均値）が一定量（例えば第３閾値）よりも小さい場合、又は減少傾向の場合は、図７に示す映像の移動量を増加させて大きな映像シフトを行なうことが好適である。すなわち、映像の動きが非常に小さいため、映像の座標の移動量を“１”から“２，３”等に増加させることが好適である。又、単に第３閾値との比較ではなく、一定定数を用いて、変化量に比例して移動量を増加させることで、映像全体を大きく移動して、焼き付き防止の危険を自動的に確実に回避することが好適である。
【００５４】
又、以上に記載した基本的仕様の多くの変形例（ブロック濃度差を用いた映像シフト処理、自動的な時間及びシフト量の変更等）については、図示しない画像表示装置の操作部のユーザによる操作によって行なわれる初期設定によって、任意に選択できることが好適である。
【００５５】
以上、説明したように本発明の一実施形態に係る画像表示装置においては、映像のシーンチェンジにおいて、映像シフト処理を行うことにより、１画素が粗い４８０ｉ信号でも映像シフトの動作が目立たずに視聴者に違和感を与えないものである。又、画面のブロック毎の濃度差（輝度差）にも注目し、大きな濃度差（輝度差）が生じた場合も映像シフトを行うことで、焼きつき防止を確実に行うことができる。
【００５６】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００５７】
【図１】本発明の一実施形態に係る映像表示装置の構成の一例を示すブロック図。
【図２】本発明の一実施形態に係る映像表示装置の詳細な構成の一例を示すブロック図。
【図３】本発明の一実施形態に係る映像表示装置の機能の一例を示すブロック図。
【図４】本発明の一実施形態に係る映像表示装置の他の機能の一例を示すブロック図。
【図５】本発明の一実施形態に係る映像表示装置の濃度差検出の一例を示す説明図。
【図６】本発明の一実施形態に係る映像表示装置の濃度差検出の一例を示す説明図。
【図７】本発明の一実施形態に係る映像表示装置の表示位置の遷移の一例を示す説明図。
【図８】本発明の一実施形態に係る映像表示装置の処理動作の一例を示すフローチャート。
【図９】本発明の一実施形態に係る映像表示装置の処理動作の他の一例を示すフローチャート。
【図１０】本発明の一実施形態に係る映像表示装置の処理動作の他の一例を示すフローチャート。
【図１１】本発明の一実施形態に係る映像表示装置の処理動作の他の一例を示すフローチャート。
【符号の説明】
【００５８】
１１…映像信号選択部、１２…動画・濃度差検出部、１３…映像処理部、Ｄ…ディスプレイ、１４…制御部。
【図１】
2007171700.tif 000003
【図２】
2007171700.tif 000004
【図３】
2007171700.tif 000005
【図４】
2007171700.tif 000006
【図５】
2007171700.tif 000007
【図６】
2007171700.tif 000008
【図７】
2007171700.tif 000009
【図８】
2007171700.tif 000010
【図９】
2007171700.tif 000011
【図１０】
2007171700.tif 000012
【図１１】
2007171700.tif 000013